(57)【特許請求の範囲】
【請求項１】
平面視略円形の２つの内容物を上下に重ねた状態で収容することのできる包装箱から内容物を一つ取り出した後に、残る一つの内容物を収容するのに適した大きさの１段用箱に変化させることのできる平面視矩形の包装箱であって、
矩形の底部と、
該底部から上方に延びる４つの側壁部と、
該４つの側壁部の上端に連なる矩形の天井部とを備え、
前記４つの側壁のうち、互いに対向する一対の側壁に設けられ且つ該側壁の高さ方向中間に設けられた折れ線と、
前記４つの側壁のうち、前記折れ線が設けられた互いに対向する一対の側壁とは異なる他の一対の側壁の高さ方向中間部分から前記天井部の側部に沿って延びる弱化線とを含み、
前記弱化線は、前記天井部のコーナー部を残す傾斜弱化線部を有し、
該弱化線に沿って切断することにより、前記天井部を含むフラップが形成され、該フラップにより前記１段用箱の開閉可能な蓋が形成されると共に前記傾斜弱化線部を切断することにより形成されるコーナー領域が前記平面視略円形の内容物の周縁に近接して位置することを特徴とする包装箱。
【請求項２】
前記他の対の側壁の一つに該側壁を横断する追加の弱化線を有し、該追加の弱化線を切断することにより前記フラップの先端にリップが形成され、
前記１段用箱には前記リップを受け入れるスリットが形成されている、請求項１に記載の包装箱。
【発明の詳細な説明】
【技術分野】
【０００１】
本発明は、一般的には紙製の包装箱に関し、典型的にはカレー又はシチューのルウを収容したトレーを２段積みに収容すると共に、１段のトレーを使用し終わった後に、残る１段のトレーを収容するのに適した１段用箱に変化することのできる包装箱に関する。
【背景技術】
【０００２】
特許文献１には、カレールウを収容したトレーが開示されている。このカレー用トレーは複数のルウ収容部が形成され、各ルウ収容部には一人前のルウが収容される。このカレー用トレーは、各ルウ収容部毎に切断可能である。したがって、カレーを調理するときには、これから作ろうとする人数分のカレールウを取り出し、空になったルウ収容部を切り離して廃棄することができる。
【０００３】
特許文献２には、内容物の減量に合わせて横方向長さを半分に変化させることのできる包装箱が開示されている。
【０００４】
特許文献３には、内容物の減量に合わせて横方向長さを2/3又は1/3に変化させることのできる包装箱が開示されている。
【０００５】
内容物が減ったときにこれに合わせて高さ寸法を小さくできる包装箱が特許文献４に開示されている。すなわち、特許文献４は、弱化線に沿って切断することにより包装箱の半分を廃棄することで高さ寸法を半分にする発明を開示している。
【特許文献１】特開２０００−２０３５５３号公報
【特許文献２】登録意匠公報第１２１６９３９号公報
【特許文献３】登録意匠公報第１２１７４０８号公報
【特許文献４】特開２００２−２１１５４１号公報
【発明の開示】
【発明が解決しようとする課題】
【０００６】
包装箱のなかには、内容物を上下２段に重ね合わせた状態で収容した包装箱が知られている。ところで、包装箱の表面には、様々な意匠が施され、また、商標、注意書き、取り扱い方法など様々な表示が印刷される。このことから、特許文献４に見られるように、包装箱を小さくするために包装箱の一部を切り捨てることは好ましいことではない。
【０００７】
本発明は、特許文献１〜３に見られる横方向の長さ寸法を小さくするのではなく、内容物を上下２段に重ね合わせた状態で収容する包装箱に関するものであり、本発明の目的は、内容物の一つを取り出した後に残る一つの内容物を収容するのに適した１段用箱に変化するという新規な包装箱を提供することにある。
【０００８】
本発明の更なる目的は、包装箱の一部を切り捨てることなく、その全てを残した状態で高さ寸法を半分にした１段用箱に変化させることができるだけでなく、１段用箱の状態で蓋の開け閉めが可能な包装箱を提供することにある。
【課題を解決するための手段】
【０００９】
かかる技術的課題は、本発明によれば、
平面視略円形の２つの内容物を上下に重ねた状態で収容することのできる包装箱から内容物を一つ取り出した後に、残る一つの内容物を収容するのに適した大きさの１段用箱に変化させることのできる平面視矩形の包装箱であって、
矩形の底部と、
該底部から上方に延びる４つの側壁部と、
該４つの側壁部の上端に連なる矩形の天井部とを備え、
前記４つの側壁のうち、互いに対向する一対の側壁に設けられ且つ該側壁の高さ方向中間に設けられた折れ線と、
前記４つの側壁のうち、前記折れ線が設けられた互いに対向する一対の側壁とは異なる他の一対の側壁の高さ方向中間部分から前記天井部の側部に沿って延びる弱化線とを含み、
前記弱化線は、前記天井部のコーナー部を残す傾斜弱化線部を有し、
該弱化線に沿って切断することにより、前記天井部を含むフラップが形成され、該フラップにより前記１段用箱の開閉可能な蓋が形成されると共に記傾斜弱化線部を切断することにより形成されるコーナー領域が前記平面視略円形の内容物の周縁に近接して位置することを特徴とする包装箱を提供することにより達成される。
【００１５】
本発明によれば、特許文献４のように弱化線に沿って切断して包装箱の一部を廃棄することなく１段用箱に変化させることができる。
【発明を実施するための最良の形態】
【００１６】
以下に、添付の図面に基づいて本発明の好ましい実施例を説明するが、実施例の包装箱を説明する前に、図１を参照して、包装箱に収容される内容物を説明する。
【００１７】
図１は、実施例の包装箱の中に収容するトレーを示す。同図のトレー１は、大人の手のひらに載る大きさの平面視略円形の形状を備えたプラスチック製のトレーであり、このトレー１には、上方に開放した５つの平面視略三角形の区画２が形成されている。各区画２には、例えば１人前のルウ（図示せず）が収容される。ルウは、液体、粉体、固形のカレー又はシチューなどのルウであるが、典型的には固形のカレールウである。トレー１の各区画２を囲む上端フランジ３には、隣接する区画２、２の間にミシン目などの弱化線４が設けられ、この弱化線４に沿って切断することによって任意の区画２を切り離すことができる。トレー１は、５つの区画２の全てにルウを収容した後に、図外の剥離可能なシートによって各区画２の全てが密封される。このシートには、上述したトレー１の弱化線４に対応する弱化線が設けられており、これにより、シートは任意の区画２を切り離すときに、当該区画２をシートで密封した状態で切り離すことができる。トレー１は、例えば図２に例示する包装箱１０に、上下に２段重ねした状態で収容され、例えば、一つのトレー１の全ての区画２のルウを使用し終わったら、包装箱１０の高さを1/2にした1段用包装箱に変化させ、この1段用包装箱の中に残るトレー１だけを収容することができる。
【００１８】
トレー１を２段重ねの状態で収容する包装箱の例を図２に示す。この包装箱１０は、図２から直ちに分かるように、平面視したときに正方形の形状を有しているが、収容すべき内容物が平面視したときに長方形であれば、これに応じて平面視したときに長方形の形状を有していてもよい。
【００１９】
包装箱１０は、その高さ寸法Ｈが、実質的に、トレー１の高さ寸法ｈの２倍である（Ｈ＝約２×ｈ）。図３は、包装箱１０の展開図である。図３を参照して、包装箱１０は、天井部１１の回りに設けられた４つの側壁部１２〜１５と、底部１６の両側部に設けられた折り代１７、１８と、底壁１６の端に設けられた糊代１９と、底部１６と天井部１１との間の中間側壁部１２の両側部に設けられた折り代２０、２１と、天井部１１の端に位置する側壁部１５の両側部に形成された折り代２２、２３とを有する。
【００２０】
包装箱１０を展開した材料から２段階の工程を経て内容物を包装した状態になる。第１工程は、底壁１９の端に位置する糊代１９に接着剤を塗布した後に、この糊代１９を天井部１１の端に位置する側壁部１５に接着してリング状にし、これを押し潰した状態にする。次の第２工程では、押し潰した状態のリング状の材料を広げながら、その中に２段に重ねたトレー１を入れ、側壁部１２、１５の折り代２０〜２３を折り曲げた後に、底部１６の両側部の折り代１７、１８を折り曲げる（図４）。次いで、図５に示すように、折り代１７（１８）の上にホットメルト接着剤Ｂを塗布(図５)した後に側壁部１３、１４を折り曲げて、これをホットメルト接着剤Ｂで折り代１７（１８）に接合する。これによりトレー１を２段積みにした状態で密封した包装箱１０になる。
【００２１】
上述した典型的な包装箱１０の他の例として、図６に示す包装箱３０が知られている。図６の包装箱３０は、両端開口をフラップ３１、３２で閉じる形式の箱であり、この包装箱３０を採用したときには、箱３０を組み立てた後に２段重ねのトレー１、１を箱３０の中に入れて、その後フラップ３１又は３２の折り片３１ａ、３２ａを差し込むことで２つのトレー１が上下に重ねた状態で箱詰めされる。
【００２２】
図７は、他の典型的な包装箱の例を示す。この図７に示す包装箱４０は、両端開口を閉じるフラップ４１、４２の先端部に折り返し片４３、４４を有し、この折り返し片４３、４４のリップ４３ａ、４４ａを包装箱４０の底部４５に形成されたスリット４６、４７に差し込むことにより閉じる形式の箱である。
【００２３】
図８は、他の典型的な包装箱の例を示す。この図８に示す包装箱５０は、底部１６及びこれに連なる側壁フラップ５１を有し、この側壁部５１の端をホットメルト接着剤Ｂを使って接合することにより密封する形式の箱である。この包装箱５０は、側壁フラップ５１の弱化線５２を切断することにより開封することができ、また、これにより形成されるリップ５３をスリット５４に差し込むことにより開封後の蓋を固定することができる。
【００２４】
２段重ねのトレー１、１を収容する例えば上述した典型的な包装箱１０、３０、４０、５０から一つのトレー１を取り去った後に包装箱を、残る一つのトレー１を収容するのに丁度良い高さの１段用箱に変える方法として、種々のことが考えられる。
【００２５】
図９は、側壁部１２〜１５の高さ寸法が例えば1/2になるように、例えば包装箱１０（図２）の側壁部１２〜１５に弱化線２５〜２８を入れることで、ユーザは、一つのトレー１の全ての区画２のルウを使用した後に、４つの側壁部１２〜１５に形成された弱化線２５〜２８に沿って切断することで、図７に示すように、高さｈの側壁を備えた半割箱１０ａ、１０ｂに変化させることができ、そのいずれか一方の半割箱１０ａ又は１０ｂに、残る一つのトレー１を収容することができる。図２、図３は、４つの側壁部１２〜１５に弱化線２５〜２８を加入した状態で図示してある。この変形例として、図示を省略したが、図３の例えば側壁部１３、１４の弱化線２６、２７の代わりに折れ線を設け、包装箱１０を半割した後に、側壁部１３、１４を折れ線に沿って半割箱１０ｂの内部に折り曲げるようにしてもよい。
【００２６】
一つのトレー１だけを収容する1段用箱に変化させるのに、上述したリップ４３ａ、４４ａ付きフラップ４１、４２とスリット４６、４７を使うのであれば、底部１６に例えば図１０に図示のように弱化線６０及び折れ線６１を設け、他方、側壁部１２〜１５に折れ線６２を設ける一方で、天井部１１にスリット６３を設けるようにしてもよい。これによれば、二つのトレー１、１を収容した包装箱１０の底部１６を弱化線６０に沿って切断して一つのトレー１を取り出す。このトレー１の全ての区画２のルウを使い終わったら、天井部１１の側壁１３〜１５を折れ線６２に沿って半割箱の内部に折り曲げることで（図１１）、一つのトレー１を収容するのに都合の良い１段用箱１０Ａａになる。この１段用箱１０Ａａの中に、残るトレー１を収容したら、底部１６に形成されたリップ６４をスリット６３に挿入することでフラップ付きの１段用箱１０Ａａになる（図１２）。変形例として、スリット６３を天井部１１に設けるのではなく、天井部１１と側壁部１５との境界にスリット６３を設けるのであれば、図１３に例示するように、これに対応するように底部１６の弱化線６０の態様を設計すればよい。
【００２７】
例えば図６の包装箱３０を一つのトレー１だけを収容する１段用箱に変化させるのに、互いに対向する一対の側壁３３、３４に複数の折れ線３５を設けて、各側壁３３、３４を蛇腹状にすることで、各側壁３３、３４の高さ寸法を小さくできるようにしてもよい（図１４、図１５）。これによれば、図１４の包装箱３０Ａから一つのトレー１を取り出し、このトレー１の全ての区画２のルウを使い終わったら、一対の側壁３３、３４の一部を弱化線を使って切り取るのではなく折れ線３５に沿って曲げることで、その高さ寸法を半分の高さに変化させた箱３０Ａａを作ることができ、そして、フラップ３１、３２を弱化線３７に沿って切断することでリップ４３ａ、４４ａを形成し、このリップ４３ａ、４４ａをスリット４６、４７に挿入することで、１段用箱の蓋を固定できるようにするのが好ましい。
【００２８】
以上の説明において、側壁の高さを半分に変化させる幾つかの手段と、弱化線を使って部分的に切断することでフラップを形成して、このフラップで１段用箱の開閉蓋を構成する幾つかの手段とを任意に組み合わせることで、トレー１を２段重ねの状態で密封した包装箱の高さ寸法を半分に変化させることができ、このことは図６、図７、図８に例示した任意の包装箱に対しても適用することができる。
【００２９】
参考例１（図１６、図１７）：
図１６、図１７に図示の参考例１の包装箱１００は、図３に示す展開図の包装箱１０と基本的な構成は同一である。図１６に示すように、包装箱１００の底部１６には、これを挟んで互いに対向する側壁部１３、１４に至る弱化線１０１が形成され、また、他の一対の側壁部１２、１５には1/2高さ位置に折れ線１０２が形成され、これにより図１６で陰を付けた部分を切り落とすことで、図１７に示すように側壁部１２、１５及び底部１６の一部で構成された一対のフラップ１０３、１０４を有する１段用箱１００ａを作ることができる。フラップ１０３、１０４は、その先端にリップ１０３ａ、１０４ａを有し、このリップ１０４ａ（又は１０３ａ）を、対応するスリット１０５（又１０６）に差し込むことで、側方に開放した１段用箱１００ａに、図外のトレー１を収容した状態で収めることができる。
【００３０】
上記参考例１によれば、天井部１１をそのまま残した状態で１段用箱１００ａを作ることができるため、１段用箱１００ａになっても、天井部１１の表面に印刷したマークや注意書きなどが毀損されることはないという利点がある。また、天井部１１には、折れ線や弱化線が存在していないため、包装箱１００の外観上の見栄えが良いという利点がある。
【００３１】
参考例２（図１８〜図２０）：
図１８〜図２０に図示の参考例２の包装箱１５０は、図３に示す展開図の包装箱１０と基本的な構成は同一である。図１８の展開図から理解できるように、包装箱１５０は、天井部１１を囲む３つの側壁部１３〜１５に折れ線１５１が形成され、また、天井部１１の両側に位置する側壁部１３、１４との境界に沿って直線状に延びる弱化線１５２が形成されている。この弱化線１５２は、天井部１１の端に位置する側壁部１５の折れ線１５１に至り、また、天井部１１と底部１６との間に位置する中間側壁部１２の中程まで至っており、また、この側壁部１２を横断する方向に延びる弱化線１５２に連なっており、この横断する方向に延びる弱化線１５２の中間部分にリップ１５３を形成することができるように底部１６に向けた凸状の部分を有している。更に、底部１６にはスリット１５４が形成されている。
【００３２】
この包装箱１５０は、天井部１６を挟んで互いに対向する一対の側壁部１２、１５の高さ方向中間部分まで延びる弱化線１５２を設けてあるため、以下に説明するように１段用箱１５０ａを作ったときに、天井部１１などで構成されるフラップ１５５で蓋をすることができる。すなわち、包装箱１５０は、弱化線１５２に沿って切断することにより、内容物のトレー１（図面には現れていない）を取り出すことができ、また、図１９及び図２０に示す１段用箱１５０ａに変化させることができる。１段用箱１５０ａは、天井部１１などでフラップ１５５が構成され、このフラップ１５５の先端に位置する折り返し片１５６の中央に位置するリップ１５３をスリット１５４に挿入することで１段用箱１５０ａの全周が閉じた箱になる。この１段用箱１５０ａの状態で、フラップ１５５の閉じ操作を容易にするために、フラップ１５５を閉じる際に、リップ１５３の近傍の側壁を構成する部分に追加の折れ線１５７を設けるのが好ましい。
【００３３】
この包装箱１５０は、図１８に示すように、天井部１１の両側に位置する側壁部１３、１４との境界に沿って直線状に延びる弱化線１５２が、側壁部１３、１４との境界よりも若干内側に位置するように形成されるのがよい。これにより、包装箱１５０は、弱化線１５２に沿って切断して１段用箱１５０ａに変化させたときに、側壁部１３、１４と折り代２０〜２３とが切断されずに繋がった状態で残すことができる。換言すれば、折り代２０〜２３を糊付けするのであれば別であるが、これを糊付けしないのであれば、側壁部１３、１４との境界に一致させて弱化線１５２を設けたときには、１段用箱１５０ａに変化させたときには、側壁部１３、１４などが分離してしまう。
【００３４】
この参考例２によれば、弱化線を使って切り捨てる部分が無いため、１段用箱１５０ａに変化させた後も、包装箱１５０の表面に印刷したマーク、注意書き、商品説明文などの全てを残した状態に維持することができる。
【００３５】
第１実施例（図２１、図２２）：
図２１、図２２に図示の第１実施例の包装箱１５０Ａは、上述した参考例２の包装箱１５０の変形例である。図２１、図２２には現れていないが、第１実施例の包装箱１５０Ａにも上述したスリット１５４が設けられている。この包装箱１５０Ａは弱化線１５２に特徴を有し、弱化線１５２は、前述した図１８の包装箱１５０と同様に、天井部１１と、その両側に位置する側壁部１３、１４との境界に沿って延びているが、その両端、つまり包装箱１５０Ａのコーナー部分を残す傾斜弱化線部１５２ａを有し、この傾斜弱化線部１５２ａは、図２１、図２２から理解できるように、天井部１１の端に位置する側壁部１５及び中間側壁部１２の縦弱化線部１５２ｂ、１５２ｃに連なっている。なお、図２２は、図２１の矢印Ａ方向から見た図である。この第１実施例において、図２１に図示のように、中央側壁部１２に形成した弱化線１５２の両端は折れ線１５１に連なっているが、この折れ線１５１を弱化線で構成してもよい。
【００３６】
図２１、図２２に図示の包装箱１５０Ａにあっては、弱化線１５２に沿って切断することにより、図１９などを参照して前述した１段用箱１５０ａと実質的に同じ形態の１段用箱（図示せず）に変化するが、図１９などに図示の１段用箱１５０ａとの相違点は、具体例３の包装箱１５０Ａにあっては、その１段用箱の４つのコーナー部分に、図２１に図示のコーナー領域１５８が残る点に在り、この１段用箱に、平面視円形のトレー１（図１）を収容したときに、１段用箱の４隅に隙間ができるが、この４隅の隙間は、側壁部１３、１４の上部を折り曲げてトレー１の上に位置させたときに、上述したコーナー領域１５８が埋めることになり、これにより、後に説明するように１段用箱に収容したトレー１のガタツキを抑えることができる。
【００３７】
第１実施例の包装箱１５０Ａにあっても、弱化線１５２に沿って切断したときに、図２１に図示の４つのコーナー領域１５８を残すことにより、参考例２の包装箱１５０ａと同様に、側壁部１３、１４と折り代２０〜２３とが切断されずに繋がった状態で残すことができ（図示せず）、これにより、一段用箱１５０ａの形を維持させることができる。
【００３８】
第２実施例（図２３、図２４）：
図２３、図２４に図示の第２実施例の包装箱１５０Ｂは、上述した図２１、図２２の包装箱１５０Ａの変形例である。なお、第２実施例の包装箱１５０Ｂにも上述したスリット１５４が設けられている。
【００３９】
例えば図２３を図２１と対比すると理解できるように、図２１の包装箱１５０Ａにあっては、天井部１１の端に位置する側壁部１５及び中間側壁部１２に縦弱化線部１５２ｂ、１５２ｃが設けられているが、これに代えて、具体例４の包装箱１５０Ｂにあっては、側壁部１５、１２の端に向かって傾斜する第２の傾斜弱化線部１５２ｄ、１５２ｅが設けられている。このように、包装箱１５０Ｂの一部を弱化線１５２（傾斜弱化線１５２ｂ〜ｅを含む）に沿って切断することにより１段用箱１５０Ｂａに変化させることができるが、この弱化線１５２に傾斜弱化線部１５２ｂ〜ｅを設けることで切断作業をスムーズに行うことができる。
【００４０】
第２実施例の包装箱１５０Ｂにあっても、弱化線１５２に沿って切断したときに、図２３に図示の４つのコーナー領域１５８が残ることにより、参考例２の包装箱１５０ａと同様に、側壁部１３、１４と折り代２０〜２３とが切断されずに繋がった状態で残すことができ（図示せず）、これにより、包装箱１５０Ｂの箱の形をばらばらにせずに維持させることができる。
【００４１】
上述した第２実施例にあっては、１段用箱１５０Ｂａに変化させたときに、底部１６に残る互いに対向する側壁部１３、１４と一体化した長手方向両端部の三角形の残部１５８が、図２５から理解できるように、平面視円形のトレー１の周縁に近接して入り込み、これにより１段用箱１５０Ｂａに収容したトレー１のガタつきを防止することができる。このことは、前述した第１実施例においても同様である。
【００４２】
第３実施例（図２６、図２７）：
図２６に図示の第３実施例の包装箱３００は、図６を参照して説明した、互いに対向するフラップ３１、３２の折り片３１ａ、３２ａを差し込んで内容物を箱詰めする形式の包装箱３０に特に好適に適用可能である。この第３実施例の包装箱３００では、２つのフラップ３１、３２及び互いに対向する側壁部３０１、３０２の全ての高さ方向中間部分に折れ線３０４が設けられている（図２７）。
【００４３】
また、包装箱３００には、天井部（又は底部）の境界から、前記折れ線３０４と等しい距離を隔てた位置に、前記折れ線３０４と平行な折れ線３０３が設けられている。
【００４４】
一つのトレー１の全てのカレールウを使い切ったら、図２６から理解できるように、互いに対向する側壁部３０１、３０２を折れ線３０４に沿って内側に折り曲げることで、半分の高さの１段用箱３００ａに変化させることができ、また、フラップ３１、３２を折れ線３０４に沿って折ることでフラップ３１、３２の実質的な高さを半分にした状態で、１段用箱３００ａの中に挿入することで蓋を閉じた状態にすることができる。
【００４５】
以上、参考例や実施例を説明したが、この参考例や実施例で採用した様々な要素を使って、図２〜図８で説明した典型的な包装箱など他の形態の包装箱を１段用箱に変化させることができる。例えば、図２０に例示した１段用箱１５０ａにおいて、これをリップ１５３無しにしてフラップ１５５を１段用箱１５０ａの中に挿入することで箱閉じするようにしてもよい。
【００４６】
また、図２１などでは、天井部１１と、これを挟んで位置する互いに対向する側壁部１３、１４との境界線に沿って弱化線１５２を入れるようにしたが、上記境界線から離れた部分に弱化線１５２を入れるようにしてもよい。また、天井部１１の弱化線１５２は直線で構成されているが、ジグザグしたラインを描く弱化線であってもよく、また、上記境界に沿って円弧状に延びる弱化線であってもよい。
【００４７】
また、図１８などでは、側壁部１２を横断する方向に延びる弱化線１５２を設けていたが、その変形例として、側壁部１２に代えて、側壁部１５を横断する方向に延びる弱化線１５２を設けてもよい。また、この横断する方向に延びる弱化線１５２の中間部分に形成されるリップ１５３の端縁を側壁部１５の下端まで延ばしてもよい。
【図面の簡単な説明】
【００４８】
【図１】実施例の包装箱に２段積みの状態で収容されるカレー用トレーの斜視図である。
【図２】従来から知られている典型的な包装箱の斜視図である。
【図３】図２の包装箱の展開図である。
【図４】図２の包装箱を組み立てる工程を説明するための図である。
【図５】図４に続く糊付け工程を説明するための図である。
【図６】従来から知られている別の典型的な包装箱の斜視図である。
【図７】従来から知られている他の典型的な包装箱の斜視図である。
【図８】従来から知られている更に他の典型的な包装箱の斜視図である。
【図９】図２に示す包装箱を上下に２つに分けて、１つのカレー用トレーを収容する１段用箱を作る説明図である。
【図１０】カレー用トレーを２段積みした状態で収容する包装箱から１段用箱に変化させたときに、１段用箱で蓋閉じできるようにする例を説明するための包装容器の展開図である。
【図１１】図１０の包装箱から変化させた１段用箱の蓋閉じを説明するための図である。
【図１２】図１１の１段用箱で蓋閉じに用いられるリップとスリットとの組み合わせを説明するための図である。
【図１３】図１２に例示した蓋閉じ機構の変形例の構造を説明するための包装箱の展開図である。
【図１４】カレー用トレーを２段積みの状態で収容する包装箱を１段用箱に変化させる場合に、側壁部の高さ寸法を半分にする機構の一例を説明するための図である。
【図１５】図１４で採用した機構を使って包装容器から変化させた１段用箱の斜視図である。
【図１６】参考例１の包装箱の斜視図であり、交差した線は弱化線に沿って切り取る部位を示している図である。
【図１７】図１６の参考例１の包装箱から変化させた１段用箱の斜視図である。
【図１８】参考例２の包装箱の展開図である。
【図１９】図１８の包装箱から変化させた１段用箱の斜視図である。
【図２０】図１９の１段用箱の蓋閉じを説明するための図である。
【図２１】第１実施例の包装箱を一方側から見た斜視図である。
【図２２】図２１の包装箱を他方側から見た斜視図である。
【図２３】図２１の第１実施例の包装箱の変形例（第２実施例）を一方側から見た斜視図である。
【図２４】図２３の包装箱を他方側から見た斜視図である。
【図２５】図２３の包装箱を１段用箱に変化させたときの利点を説明するための図である。
【図２６】カレー用トレーを２段積みした状態で収容した包装箱から変化させた１段用箱の蓋閉じの他の機構を含む第３実施例を説明するための図である。
【図２７】図２６に図示の包装箱の外観を示す斜視図である。
【符号の説明】
【００４９】
１１    天井部
１２〜１５  側壁部
１６    底部
１５０    包装箱
１５０ａ  １段用箱
１５１    折れ線
１５２    弱化線
１５３    リップ
１５４    スリット
１５５    １段用箱のフラップ
【図１】
0004723968.tif 000002
【図２】
0004723968.tif 000003
【図３】
0004723968.tif 000004
【図４】
0004723968.tif 000005
【図５】
0004723968.tif 000006
【図６】
0004723968.tif 000007
【図７】
0004723968.tif 000008
【図８】
0004723968.tif 000009
【図９】
0004723968.tif 000010
【図１０】
0004723968.tif 000011
【図１１】
0004723968.tif 000012
【図１２】
0004723968.tif 000013
【図１３】
0004723968.tif 000014
【図１４】
0004723968.tif 000015
【図１５】
0004723968.tif 000016
【図１６】
0004723968.tif 000017
【図１７】
0004723968.tif 000018
【図１８】
0004723968.tif 000019
【図１９】
0004723968.tif 000020
【図２０】
0004723968.tif 000021
【図２１】
0004723968.tif 000022
【図２２】
0004723968.tif 000023
【図２３】
0004723968.tif 000024
【図２４】
0004723968.tif 000025
【図２５】
0004723968.tif 000026
【図２６】
0004723968.tif 000027
【図２７】
0004723968.tif 000028